(57)【特許請求の範囲】
【請求項１】
監視対象の太陽光発電システムであって、各々が複数個の太陽電池モジュールを直列に接続した複数個の太陽電池ストリングを電力系統に対して並列に接続した太陽電池アレイと、前記太陽電池アレイと前記電力系統との間に介挿されたパワーコンディショナと、前記太陽電池アレイの各太陽電池ストリングが個別に発電した電力の電力量及び前記太陽電池アレイから前記パワーコンディショナを介して前記電力系統に供給される電力の電力量を計電する電力量計とを有する太陽光発電システムと、各観測点における日射量の測定値と気温の測定値を含む観測点毎の気象情報を配信する気象情報配信サーバ装置と、前記電力量計及び前記気象情報配信サーバ装置とネットワークを介して接続される太陽光発電監視サーバ装置とを有する太陽光発電監視システムによる太陽光発電監視方法であって、
前記太陽光発電監視サーバ装置が、前記太陽光発電システムから当該太陽光発電システムの電力量計が計電した電力量を示す電力量情報を取得するとともに、前記気象情報配信サーバ装置から前記太陽光発電システムの設置先に最も近い観測点の気象情報を取得する第１の行程と、
前記太陽光発電監視サーバ装置が、前記第１の行程で取得した電力量情報が示す前記複数の太陽電池ストリングの各々の発電量を太陽電池ストリング実発電量とし、前記第１の行程で取得した発電量情報が示す前記電力系統に供給される電力の電力量をシステム実発電量とし、前記第１の行程で取得した気象情報内の日射量の測定値及び気温の測定値を所定の電力量算出式に作用させることにより得られる電力量を前記太陽光発電システムの想定発電量とし、前記システム実発電量及び前記想定発電量とこれらの発電量の取得日の日付の組を当該太陽光発電監視サーバ装置の記憶手段に履歴として記憶する第２の行程と、
前記太陽光発電監視サーバ装置が、
前記第２の行程において取得したシステム実発電量と前記第２の行程において取得した想定発電量の比を計算し、計算した比を異常発電係数と比較し、前記システム実発電量と前記想定発電量の比が所定の日数に亘って前記異常発電係数を下回っている場合に前記太陽光発電システムの発電状況に異常があると判定する第１の判定処理と、
前記第２の行程において取得した複数の太陽電池ストリングの太陽電池ストリング実発電量の相互の比であって、前記複数の太陽電池ストリングの中の２つを対にした場合における全ての対の組み合わせについての前記太陽電池ストリング実発電量の比を計算し、計算した各比を前記異常発電係数と比較し、前記全ての対の組み合わせについての前記太陽電池ストリング実発電量の比のうち１つ以上が前記所定の日数に亘って前記異常発電係数を下回っている場合に前記太陽光発電システムの発電状況に異常があると判定する第２の判定処理と、
前記第２の行程において取得したシステム実発電量の取得日との時間差が所定の範囲内にある日付と対応づけて前記記憶手段に記憶されている過去のシステム実発電量を前記記憶手段内から検索し、前記記憶手段内から検索したシステム実発電量と前記第２の行程において取得したシステム実発電量との比を計算し、計算した比を前記異常発電係数と比較し、前記記憶手段内から検索したシステム実発電量と前記第２の行程において取得したシステム実発電量との比が前記所定の日数に亘って前記異常発電係数を下回っている場合に前記太陽光発電システムの発電状況に異常があると判定する第３の判定処理と
を実行し、前記第１の判定処理、前記第２の判定処理、及び前記第３の判定処理の何れかにおいて前記太陽光発電システムの発電状況に異常があると判定した場合に、前記太陽光発電システムの発電状況の通知先として予め設定されたアドレスに宛ててアラートメッセージを送信する第３の行程と
を有する太陽光発電監視方法。
【請求項２】
前記太陽光発電監視サーバ装置が、前記記憶手段に履歴として記憶した、前記システム実発電量、前記想定発電量、及び前記取得日の日付の各組の内容に基づいて、時間単位毎の前記実発電量及び前記想定発電量を個別のグラフとして含む発電量状況レポートを生成し、この発電量状況レポートを前記アドレスに宛てて送信する第３の行程を含むことを特徴とする請求項１に記載の太陽光発電監視方法。
【発明の詳細な説明】
【技術分野】
【０００１】
この発明は、太陽光発電システムの発電を監視する技術に関する。
【背景技術】
【０００２】
再生可能エネルギーの固定価格買取制度の開始以降、各企業による太陽光発電事業への参入が相次いでいる。固定価格買取制度は、企業または個人の発電設備で発電した電力の固定価格での買い取りを電力会社に義務付ける制度である。この制度の下では、発電設備の所有者と電力会社との間で電力受給契約を締結した以降は、契約締結時の売電価格での買い取りが長期（１０ｋＷ以上の太陽光発電設備であれば２０年、１０ｋＷ未満の太陽光発電設備であれば１０年）に亘って保証される。しかし、電力受給契約の契約期間中にシステムトラブル等により発電量が低下すると、当初の事業計画通りの収益を達成できなくなる。よって、太陽光発電事業への参入に当たっては、発電能力が低下した状態が放置されることのないような仕組みの導入が不可欠である。
【０００３】
このような要望に応え得る技術を開示した文献として、特許文献１がある。同文献１に開示された太陽光発電予測システムは、太陽電池、パワーコンディショナ、電力量計、エネルギー管理装置、報知装置、日射計、気温計からなる。この太陽光発電システムは、太陽電池の設置先の日射量と太陽電池の設置先の気温の予測値をＪＩＳ  Ｃ  ８９０７の発電量算出式に作用させることにより予測発電量を算出し、この予測発電量と計画発電量との差に応じて太陽光発電システムの目標電力を調整するようになっている。
【０００４】
ここで、ＪＩＳ  Ｃ  ８９０７の算出式は、日本工業規格により規定されているものである。例えば、ＪＩＳ  Ｃ  ８９０７によると、１か月あたりの発電電力量Ｅｐｍ（ｋＷｈ／月）は次式（１）により求まる。
Ｅｐｍ＝Ｋ／Ｇｓ×ＰＡＳ×ＨＡＭ…（１）
この式（１）におけるＧｓ（ｋＷｈ／ｍ２）は、太陽電池の設置先の１か月の日射量である。また、ＨＡＭ（ｋＷ）は、太陽電池の定格出力である。また、Ｋは、月別総合設計係数であり、次式（２）により与えられる。
【０００５】
Ｋ＝Ｋ’×ＫＰＴ…（２）
この式（２）におけるＫ’は基本設計係数であり、次式（３）により与えられる。また、ＫＰＴは温度補正係数であり、次式（４）により与えられる。
【０００６】
Ｋ’＝ＫＨＤ×ＫＰＤ×ＫＰＡ×ＫＰＭ×ηＩＮＤ…（３）
この式（３）におけるＫＨＤは日射量年間変動補正係数（ＪＩＳ推奨値：０．９７）であり、ＫＰＤは計時変化補正係数（ＪＩＳ推奨値：０．９５）であり、ＫＰＡはアレイ回路補正係数（ＪＩＳ推奨値：０．９７）であり、ＫＰＭはアレイ負荷整合補正係数（ＪＩＳ推奨値：０．９４）であり、ηＩＮＤはパワーコンディショナ実効効率（ＪＩＳ推奨値：０．９４）である。この式（３）における係数ＫＨＤ、ＫＰＤ、ＫＰＡ、ＫＰＭは太陽電池の機種に依存し、係数ηＩＮＤはパワーコンディショナの機種に依存する。
【０００７】
ＫＰＴ＝１＋αＰｍａｘ（ＴＣＲ−２５）／１００…（４）
この式（４）におけるαＰｍａｘは温度係数（ＪＩＳ推奨値：−０．４０〜−０．５０）である。また、ＴＣＲは太陽光パネルの温度である。
【先行技術文献】
【特許文献】
【０００８】
【特許文献１】特開２０１１−２５９６５６号公報
【発明の概要】
【発明が解決しようとする課題】
【０００９】
しかしながら、特許文献１の技術の場合、太陽光発電システムの設置先の一か所一か所に日射計と気温計を設置せねばならなかった。このため、導入コストが割高になってしまうという問題があった。
【００１０】
本発明は、このような課題に鑑みてなされたものであり、太陽光発電システムが当初の計画通りの発電を行っているか否を監視する仕組みを安価に提供できるようにすることを目的とする。
【課題を解決するための手段】
【００１１】
上記課題を解決するため、本発明は、監視対象の太陽光発電システムであって、太陽電池アレイと、前記太陽電池アレイと電力系統との間に介挿されたパワーコンディショナと、前記太陽電池アレイが発電した電力の電力量及び前記太陽電池アレイから前記パワーコンディショナを介して前記電力系統に供給される電力の電力量のうち少なくとも一方を計電する電力量計とを有する太陽光発電システムと、各観測点における日射量の測定値と気温の測定値を含む観測点毎の気象情報を配信する気象情報配信サーバ装置と、前記電力量計及び前記気象情報配信サーバ装置とネットワークを介して接続される太陽光発電監視サーバ装置とを有する太陽光発電監視システムによる太陽光発電監視方法であって、前記太陽光発電監視サーバ装置が、前記太陽光発電システムから当該太陽光発電システムの電力量計が計電した電力量を示す電力量情報を取得するとともに、前記気象情報配信サーバ装置から前記太陽光発電システムの設置先に最も近い観測点の気象情報を取得する第１の行程と、前記太陽光発電監視サーバ装置が、前記第１の行程で取得した電力量情報が示す電力量を前記太陽光発電システムの実発電量とし、前記第１の行程で取得した気象情報内の日射量の測定値及び気温の測定値を所定の電力量算出式に作用させることにより得られる電力量を前記太陽光発電システムの想定発電量とし、前記実発電量と前記想定発電量の差または比と異常発電係数として予め設定された値との関係に基づいて前記太陽光発電システムの発電状況の異常の有無を判定する判定処理を行い、この判定処理によって前記太陽光発電システムの発電状況に異常があると判定した場合に、前記太陽光発電システムの発電状況の通知先として予め設定されたアドレスに宛ててアラートメッセージを送信する第２の行程とを有することを特徴とする太陽光発電監視方法を提供する。
【００１２】
本発明では、太陽光発電システムから送信される電力量情報が示す発電量を太陽光発電システムの実発電量とし、気象情報配信サーバ装置から送信される気象情報内の気温と日射量を所定の算出式に作用させることにより得られる電力量を太陽光発電システムの想定発電量とする。そして、これらの発電量を基に太陽光発電システムの発電状況の異常の有無を判定し、発電状況に異常が発生していると判定した場合に、予め設定された電子メールアドレスに宛ててアラートメッセージを送信する。よって、本実施形態によると、太陽光発電システムが当初の計画通りの発電を行っているか否を監視する仕組みを安価に提供することができる。
【図面の簡単な説明】
【００１３】
【図１】本発明の一実施形態である太陽光発電監視システムの全体構成を示す図である。
【図２】同システムの太陽光発電監視サーバ装置の概略構成を示す図である。
【図３】同システムの太陽光発電サーバ装置のテーブルＴＢ１のデータ構造図である。
【図４】同システムの太陽光発電サーバ装置のテーブルＴＢ２のデータ構造図である。
【図５】同システムの太陽光発電サーバ装置のテーブルＴＢ３のデータ構造図である。
【図６】同システムの太陽光発電サーバ装置のテーブルＴＢ４のデータ構造図である。
【図７】同システムの太陽光発電サーバ装置のテーブルＴＢ５のデータ構造図である。
【図８】同システムの太陽光発電サーバ装置のテーブルＴＢ６のデータ構造図である。
【図９】同システムにおける設定処理を示すフローチャートである。
【図１０】同システムにおける第１設定画面を示す図である。
【図１１】同システムにおける第２設定画面を示す図である。
【図１２】同システムにおける監視処理を示すフローチャートである。
【図１３】同システムにおける判定処理の処理内容を示す図である。
【図１４】同システムにおける発電状況レポート配信処理を示すフローチャートである。
【図１５】同システムにおける日単位の発電状況レポート情報の内容の一例を示す図である。
【図１６】同システムにおける週単位の発電状況レポート情報の内容の一例を示す図である。
【図１７】同システムにおける月単位の発電状況レポート情報の内容の一例を示す図である。
【図１８】同システムにおける年単位の発電状況レポート情報の内容の一例を示す図である。
【図１９】同システムにおけるサイネージ画面提供処理を示すフローチャートである。
【図２０】同システムにおけるサイネージ画面を示す図である。
【図２１】同システムにおけるサイネージ画面を示す図である。
【発明を実施するための形態】
【００１４】
以下、図面を参照しつつ本発明の実施形態について説明する。
図１は、この発明の一実施形態である太陽光発電監視方法を実現する太陽光発電監視システムの全体構成を示す図である。このシステムは、監視対象である太陽光発電システム１−ｍ（ｍ＝１〜Ｍ、ｍは太陽光発電システムを示すインデックス、Ｍは太陽光発電システムの総数）と、気象情報配信サーバ装置６０と、太陽光発電監視サーバ装置７０とを有する。
【００１５】
太陽光発電システム１−ｍ（ｍ＝１〜Ｍ）の各々は、太陽電池アレイ２と、パワーコンディショナ３−ｉ（ｉ＝１〜ＬＰ、ｉは、太陽光発電システム内のパワーコンディショナを示すインデックス、ＬＰは太陽光発電システム内のパワーコンディショナの総数）と、集電盤４と、スマートメータ５と、３Ｇ通信モジュール６とを有する。各太陽光発電システム１−ｍの太陽電池アレイ２は、パワーコンディショナ３−ｉと同数ＬＰ（図１における太陽光発電システム１−Ｍの例では、ＬＰ＝４）個の太陽電池ストリング７−ｉを並べたものである。太陽電池ストリング７−ｉ（ｉ＝１〜ＬＰ）の各々は、ＬＳ（図１における太陽光発電システム１−Ｍの例では、ＬＳ＝５）個の太陽電池モジュールＭＤを直列に接続したものである。各太陽光発電システム１−ｍの太陽電池ストリング７−ｉ（ｉ＝１〜ＬＰ）の各々は、パワーコンディショナ３−ｉ及び集電盤４を介して電力系統に並列に接続されている。
【００１６】
パワーコンディショナ３−ｉ（ｉ＝１〜ＬＰ）は、インバータとしての役割を果たす装置である。パワーコンディショナ３−ｉ（ｉ＝１〜ＬＰ）の各々は、太陽電池ストリング７−ｉの直流電力を交流電力に変換し、この変換電力を集電盤４に供給する処理を行う。集電盤４に供給された電力は電力系統に供給（売電）される。また、パワーコンディショナ３−ｉ（ｉ＝１〜ＬＰ）の各々は、自身が変換した交流電力の電流、電圧、電力量を１時間単位で計電し、電流、電圧、電力量情報ＤＥＳＴ−ｉとして出力する処理を行う。パワーコンディショナ３−ｉ（ｉ＝１〜ＬＰ）が出力した電流、電圧、電力量情報ＤＥＳＴ−ｉ（ｉ＝１〜ＬＰ）は、３Ｇ通信モジュール６からインターネット９０を経由して太陽光発電監視サーバ装置７０に送られる。
【００１７】
スマートメータ５は、パワーコンディショナ３−ｉから集電盤４を介して電力系統に供給（売電）される電力の電力量を計電する電力量計としての役割を果たす装置である。スマートメータ５は、集電盤４から電力系統に供給される電力量（ｋＷｈ）を１時間単位で計電し、電力量情報ＤＥＧとして出力する処理を行う。この電力量情報ＤＥＧは、３Ｇ通信モジュール６からインターネット９０を経由して太陽光発電監視サーバ装置７０に送られる。
【００１８】
気象情報配信サーバ装置６０は、ウェザーニューズ（登録商標）社の管理の下に稼働するサーバ装置である。気象情報配信サーバ装置６０は、全国の各観測拠点ＳＰ−ｎ（ｎ＝１〜Ｎ、ｎは観測拠点のインデックス、Ｎは観測拠点の総数）における最新の気温の測定値を示す情報ＤＭＴ、日射量の測定値を示す情報ＤＭＳ、及び天気を示す情報ＤＭＴのセットを含む観測拠点ＳＰ−ｎ毎の気象情報ＤＭを１時間おきに配信する処理を行う。
【００１９】
太陽光発電監視サーバ装置７０は、発電状況監視サービスを行う事業者Ｚの管理の下に稼働するサーバ装置である。太陽光発電監視サーバ装置７０は、設定処理、監視処理、発電状況レポート配信処理、サイネージ画面提供処理の４つの処理を行う。
【００２０】
設定処理は、太陽光発電システム１−ｍの持ち主の顧客Ｃ−ｍの担当者の端末（ＰＣまたはスマートフォン）から太陽光発電システム１−ｍの監視内容に関わる各種設定情報を受け付け、この情報をデータベースＤＢにおける該当のテーブルに格納する処理である。
【００２１】
監視処理は、太陽光発電システム１−ｍから送信される電力量情報ＤＥＧが示す発電量を太陽光発電システム１−ｍの最新の１時間の実発電量Ｅｐｈとし、太陽光発電システム１−ｍから送信される電力量情報ＤＥＳＴ−ｉ（ｉ＝１〜ＬＰ）が示す発電量を太陽光発電システム１−ｍにおける太陽電池ストリング７−ｉ（ｉ＝１〜ＬＰ）の最新の１時間の実発電量ＥＳＴｐｈ−ｉ（ｉ＝１〜ＬＰ）とし、気象情報配信サーバ装置６０から送信される気象情報ＤＭ内の気温ＴＣＲと日射量Ｇｓを次式（５）に作用させることにより得られる電力量Ｅを太陽光発電システム１−ｍの最新の１時間の想定発電量Ｅｐｈ’とし、これらの発電量Ｅｐｈ、ＥＳＴｐｈ−ｉ（ｉ＝１〜ＬＰ）、Ｅｐｈ’を基に太陽光発電システム１−ｍの発電状況の異常の有無を判定し、太陽光発電システム１−ｍに異常があると判定した場合に、顧客Ｃ−ｍの電子メールアドレスに宛ててアラートメッセージを送信する処理である。
【００２２】
Ｅ＝［Ｋｍｄ×ηＩＮＤ×｛１＋αＰｍａｘ（ＴＣＲ−２５）／１００｝］／Ｇｓ×ＰＡＳ×ＨＡＭ×β…（５）
この式（５）におけるＫｍｄは、前掲式（３）における太陽電池モジュールＭＤに依存する係数ＫＨＤ、ＫＰＤ、ＫＰＡ、ＫＰＭの積である。また、式（５）におけるηＩＮＤは、前掲式（３）における損失係数ηＩＮＤである。また、式（５）におけるαＰｍａｘは、前掲式（４）における温度係数αＰｍａｘである。また、式（５）におけるＨＡＭは、太陽電池モジュールＭＤの定格出力である。式（５）におけるβは、太陽電池モジュールＭＤの設置環境に依存する補正値である。ここで、本実施形態における想定発電量Ｅｐｈ’の算出では、係数Ｋｍｄ、ηＩＮＤ、αＰｍａｘ、βとして太陽光発電システム１−ｍの設置環境に応じた個別の値を適用する。詳しくは、後述する。
【００２３】
発電状況レポート監視処理は、太陽光発電システム１−ｍにおける１日、１週間、１か月、１年の時間単位毎の実発電量Ｅ及び想定発電量Ｅ’をグラフとして含む発電状況レポート情報ＤＲを定期的に生成し、この発電状況レポート情報ＤＲを添付した電子メールメッセージを顧客Ｃ−ｍの電子メールアドレスに宛てて送信する処理である。
【００２４】
サイネージ画面提供処理は、太陽光発電システム１−ｍにおける最新の発電状況に関わる情報（日射量、実発電量、天気）を埋め込んだサイネージ画面の画面データ（ＨＴＭＬ（Hyper Text Markup Language）データ）を生成し、顧客Ｃ−ｍの端末からの要求に応じて要求元の端末にサイネージ画面の画面データを送信する処理である。これら４つの処理の詳細は後に説明する。
【００２５】
図２に示すように、太陽光発電監視サーバ装置７０は、通信インターフェース７１、ＣＰＵ７２、ＲＡＭ７３、ＲＯＭ７４、ハードディスク７５、ディスプレイ７６、マウス７７、キーボード７８を有する。通信インターフェース７１は、インターネット９０に接続された装置との間でデータを送受信する。ＣＰＵ７２は、ＲＡＭ７３をワークエリアとして利用しつつ、ＲＯＭ７４やハードディスク７５に記憶された各種プログラムを実行する。ＲＯＭ７４には、ＩＰＬ（Initial Program Loader）などが記憶されている。ハードディスク７５には、データベースＤＢが記憶されている。データベースＤＢは、テーブルＴＢ１、ＴＢ２、ＴＢ３、ＴＢ４、ＴＢ５、ＴＢ６を有している。
【００２６】
図３は、テーブルＴＢ１のデータ構造を概念的に示す図である。このテーブルＴＢ１は、メーカ各社から販売されている各種太陽電池モジュールの仕様情報を記憶するためのものである。このテーブルＴＢ１における１つの仕様情報をなす１つのレコードは、「メーカ」、「型番」、「最大電圧」、「最大電流」、「最大出力」、「期間」、「保証下限値」、「年間減衰率」、「温度係数（３−５月、９−１１月）」、「温度係数（５−８月）」、「温度係数（１２−２月）」、「その他損失係数」のフィールドを有する。各フィールドの内容は以下の通りである。
【００２７】
ａ１．メーカ
このフィールドは、太陽電池モジュールの販売元のメーカの名称を示す。
ｂ１．型番
このフィールドは、太陽電池モジュールの型番を示す。
ｃ１．最大電圧
このフィールドは、太陽電池モジュールの最大出力動作電圧（Ｖ）を示す。
ｄ１．最大電流
このフィールドは、太陽電池モジュールの最大出力動作電流（Ａ）を示す。
ｅ１．最大出力
このフィールドは、太陽電池モジュールの公称最大出力（Ｗ）を示す。
ｆ１．期間
このフィールドは、太陽電池モジュールの出力保証期間（年）を示す。
ｇ１．保証下限値
このフィールドは、太陽電池モジュールの保証下限値（％）を示す。
ｈ１．年間減衰率
このフィールドは、太陽電池モジュールの年間減衰率（％）を示す。
ｉ１．温度係数（３−５月、９−１１月）
このフィールドは、太陽電池モジュールにおける３月〜５月または９月〜１１月の期間内の想定発電量の算出に適用する温度係数（前掲式（５）におけるαＰｍａｘに相当するものとして当該太陽電池モジュールの販売元のメーカが公表している係数）を示す。
ｊ１  温度係数（５−８月）
このフィールドは、太陽光発電モジュールにおける５月〜８月の期間内の想定発電量の算出に適用する温度係数（前掲式（５）におけるαＰｍａｘに相当するものとして当該太陽電池モジュールの販売元のメーカが公表している係数）を示す。
ｋ１．温度係数（１２−２月）
このフィールドは、太陽電池モジュールにおける１２月〜２月の期間内の想定発電量の算出に適用する温度係数（前掲式（５）におけるαＰｍａｘに相当するものとして当該太陽電池モジュールの販売元のメーカが公表している係数）を示す。
ｌ１．その他損失係数
このフィールドは、太陽電池モジュールの想定発電量の算出に適用するその他損失係数（前掲式（５）におけるＫｍｄに相当するものとして当該太陽電池モジュールの販売元のメーカが公表している係数）を示す。
【００２８】
図４は、テーブルＴＢ２のデータ構造を概念的に示す図である。このテーブルＴＢ２は、メーカ各社から販売されているパワーコンディショナの仕様情報を記憶するためのものである。このテーブルＴＢ２における１つの仕様情報をなす１つのレコードは、「メーカ」、「型番」、「定格容量」、「変換効率」のフィールドを有する。各フィールドの内容は以下の通りである。
【００２９】
ａ２．メーカ
このフィールドは、パワーコンディショナの販売元のメーカの名称を示す。
ｂ２．型番
このフィールドは、パワーコンディショナの型番を示す。
ｃ２．定格容量
このフィールドは、パワーコンディショナの定格容量（ｋＷ）を示す。
ｄ２．変換効率
このフィールドは、パワーコンディショナの変換効率（前掲式（４）におけるηＩＮＤに相当するものとして当該パワーコンディショナの販売元のメーカが公表している係数）を示す。
【００３０】
図５は、テーブルＴＢ３のデータ構造を概念的に示す図である。このテーブルＴＢ３は、太陽光発電システム１−ｍ（ｍ＝１〜Ｍ）の持ち主の顧客Ｃ−ｍ（ｍ＝１〜Ｍ）の各々の顧客情報を記憶するためのものである。このテーブルＴＢ３における１つの顧客情報をなす１つのレコードは、「発電所ＩＤ」、「所有者ＩＤ」、「認定番号」、「発電所名」、「所有者名」、「住所」、「管理者名」、「担当者名」、「発電開始年月日」、「監視メータ数」、「モジュール総数」、「総発電出力」、「メールアドレス１」、「メールアドレス２」、「電話番号」、「緊急連絡先」、「ＦＡＸ番号」、「契約電力会社」、「設置総額」、「売電金額」、「契約期間」、「予想発電量（１月）」、「予想発電量（２月）」、「予想発電量（３月）」、「予想発電量（４月）」、「予想発電量（５月）」、「予想発電量（６月）」、「予想発電量（７月）」、「予想発電量（８月）」、「予想発電量（９月）」、「予想発電量（１０月）」、「予想発電量（１１月）」、「予想発電量（１２月）」、「観測拠点」、「監視開始時間」、「監視終了時間」、「ログインコード」、「パスワード」、「サイネージデータ取得間隔」、「発電所サイネージＵＲＬ」、「送信タイミング設定」、「通知先設定」のフィールドを有する。各フィールドの内容は以下の通りである。
【００３１】
ａ３．発電所ＩＤ
このフィールドは、事業者Ｚが顧客Ｃ−ｍの太陽光発電システム１−ｍに割り当てたＩＤを示す。
ｂ３．所有者ＩＤ
このフィールドは、事業者Ｚが顧客Ｃ−ｍに割り当てたＩＤを示す。
ｃ３．認定番号
このフィールドは、顧客Ｃ−ｍが電力受給契約の締結前の機器認定手続において国から取得した認定番号を示す。
ｄ３．発電所名
このフィールドは、顧客Ｃ−ｍの太陽光発電システム１−ｍの名称を示す。
ｅ３．所有者名
このフィールドは、顧客Ｃ−ｍの名称を示す。
ｆ３．住所
このフィールドは、顧客Ｃ−ｍの太陽光発電システム１−ｍの設置先の住所を示す。
ｇ３．管理者名
このフィールドは、顧客Ｃ−ｍにおける太陽光発電システム１−ｍの管理者の氏名を示す。
ｈ３．担当者名
このフィールドは、顧客Ｃ−ｍにおける太陽光発電システム１−ｍの担当者の氏名を示す。
ｉ３．発電開始年月日
このフィールドは、顧客Ｃ−ｍの太陽光発電システム１−ｍの発電開始年月日を示す。
ｊ３．監視メータ数
このフィールドは、顧客Ｃ−ｍの太陽光発電システム１−ｍにおけるスマートメータ５の設置数を示す。
ｋ３．モジュール総数
このフィールドは、顧客Ｃ−ｍの太陽光発電システム１−ｍの太陽電池アレイ２をなす太陽電池モジュールＭＤの総数を示す。
ｌ３．総発電出力
このフィールドは、顧客Ｃ−ｍの太陽光発電システム１−ｍの総発電出力（ｋＷ）を示す。
ｍ３．メールアドレス１
このフィールドは、顧客Ｃ−ｍにおけるアラートメッセージ及び発電状況レポート情報ＤＲの通知先の第１の電子メールアドレスを示す。
ｎ３．メールアドレス２
このフィールドは、顧客Ｃ−ｍにおけるアラートメッセージ及び発電状況レポート情報ＤＲの通知先の第２の電子メールアドレスを示す。
ｏ３．電話番号
このフィールドは、顧客Ｃ−ｍの電話番号を示す。
ｐ３．緊急連絡先
このフィールドは、顧客Ｃ−ｍの緊急連絡先の電話番号を示す。
ｑ３．ＦＡＸ番号
このフィールドは、顧客Ｃ−ｍのＦＡＸ番号を示す。
ｒ３．契約電力会社
このフィールドは、顧客Ｃ−ｍが電力受給契約を結んだ電力会社の会社名称を示す。
ｓ３．設置総額
このフィールドは、顧客Ｃ−ｍにおける太陽光発電システム１−ｍの設置費用の総額を示す。
ｔ３．売電金額
このフィールドは、顧客Ｃ−ｍと電力会社との間の電力受給契約における売電金額を示す。
ｕ３．契約期間
このフィールドは、顧客Ｃ−ｍと電力会社との間の電力受給契約の契約期間を示す。
ｖ３１．予想発電量（１月）
このフィールドは、顧客Ｃ−ｍが太陽光発電システム１−ｍの設置先の気温および日射量の統計情報から見積もった１月の予測発電量を示す。
ｖ３２．予想発電量（２月）
このフィールドは、顧客Ｃ−ｍが太陽光発電システム１−ｍの設置先の気温および日射量の統計情報から見積もった２月の予測発電量を示す。
ｖ３３．予想発電量（３月）
このフィールドは、顧客Ｃ−ｍが太陽光発電システム１−ｍの設置先の気温および日射量の統計情報から見積もった３月の予測発電量を示す。
ｖ３４．予想発電量（４月）
このフィールドは、顧客Ｃ−ｍが太陽光発電システム１−ｍの設置先の気温および日射量の統計情報から見積もった４月の予測発電量を示す。
ｖ３５．予想発電量（５月）
このフィールドは、顧客Ｃ−ｍが太陽光発電システム１−ｍの設置先の気温および日射量の統計情報から見積もった５月の予測発電量を示す。
ｖ３６．予想発電量（６月）
このフィールドは、顧客Ｃ−ｍが太陽光発電システム１−ｍの設置先の気温および日射量の統計情報から見積もった６月の予測発電量を示す。
ｖ３７．予想発電量（７月）
このフィールドは、顧客Ｃ−ｍが太陽光発電システム１−ｍの設置先の気温および日射量の統計情報から見積もった７月の予測発電量を示す。
ｖ３８．予想発電量（８月）
このフィールドは、顧客Ｃ−ｍが太陽光発電システム１−ｍの設置先の気温および日射量の統計情報から見積もった８月の予測発電量を示す。
ｖ３９．予想発電量（９月）
このフィールドは、顧客Ｃ−ｍが太陽光発電システム１−ｍの設置先の気温および日射量の統計情報から見積もった９月の予測発電量を示す。
ｖ３１０．予想発電量（１０月）
このフィールドは、顧客Ｃ−ｍが太陽光発電システム１−ｍの設置先の気温および日射量の統計情報から見積もった１０月の予測発電量を示す。
ｖ３１１．予想発電量（１１月）
このフィールドは、顧客Ｃ−ｍが太陽光発電システム１−ｍの設置先の気温および日射量の統計情報から見積もった１１月の予測発電量を示す。
ｖ３１２．予想発電量（１２月）
このフィールドは、顧客Ｃ−ｍが太陽光発電システム１−ｍの設置先の気温および日射量の統計情報から見積もった１２月の予測発電量を示す。
ｗ３．観測拠点
このフィールドは、顧客Ｃ−ｍの太陽光発電システム１−ｍの設置先に最も近い観測拠点ＳＰ−ｎの名称を示す。
ｘ３．監視開始時間
このフィールドは、顧客Ｃ−ｍの太陽光発電システム１−ｍにおける監視時間の開始時刻（通常は、午前４時）を示す。
ｙ３．監視終了時間
このフィールドは、顧客Ｃ−ｍの太陽光発電システム１−ｍにおける監視時間の終了時刻（通常は、午後１０時）を示す。
ｚ３．ログインコード
このフィールドは、事業者Ｚが顧客Ｃ−ｍに割り当てたログインコードを示す。
α３．パスワード
このフィールドは、事業者Ｚが顧客Ｃ−ｍに割り当てたログインパスワードを示す。
β３．サイネージデータ取得間隔
このフィールドは、顧客Ｃ−ｍが端末からサイネージ画面を閲覧する場合における情報の取得間隔（通常は、７５秒）を示す。
γ３．発電所サイネージＵＲＬ
このフィールドは、顧客Ｃ−ｍのサイネージ画面のＵＲＬ（具体的には、ハードディスク７５内におけるサイネージ画面の画面データの格納先のパスの末尾に顧客Ｃ−ｍに固有の文字列を付加したＵＲＬ）を示す。
δ３．送信タイミング設定
このフィールドは、発電状況レポート情報ＤＲの送信タイミングの設定（具体的には、「毎日」、「毎週」、「毎月」、「毎年」の４つの選択肢またはこれらの任意の組み合わせ）を示す。
ε３．通知先設定
このフィールドは、アラートメッセージ及び発電状況レポート情報ＤＲの通知先の設定（具体的には、ｍ３の電子メールアドレス、ｎ３の電子メールアドレス、またはその両方）を示す。
【００３２】
図６は、テーブルＴＢ４のデータ構造を概念的に示す図である。このテーブルＴＢ４は、太陽光発電システム１−ｍ（ｍ＝１〜Ｍ）の各々の設置環境情報を記憶するためのものである。このテーブルＴＢ４における１つの設置環境情報をなす１つのレコードは、「発電所ＩＤ」、「発電所サイトＩＤ」、「発電所サイト名称」、「モジュール型番」、「ＰＣＳ型番」、「直列数」、「並列数」、「ＩＰアドレス」、「ＭＡＣアドレス」、「ポート番号」、「モジュール電話番号」、「通信接続方法」、「運用監視開始日時」、「通信監視メータ初期値」、「異常発電係数」、「連続異常発電時間」、「データ取得ミス回数」のフィールドを有する。各フィールドの内容は次の通りである。
【００３３】
ａ４．発電所ＩＤ
このフィールドは、太陽光発電システム１−ｍのＩＤを示す。
ｂ４．発電所サイトＩＤ
このフィールドは、太陽光発電システム１−ｍに固有のサイネージ画面のサイトＩＤを示す。
ｃ４．発電所サイト名称
このフィールドは、太陽光発電システム１−ｍに固有のサイネージ画面のサイト名称を示す。
ｅ４．モジュール型番
このフィールドは、太陽光発電システム１−ｍにおける太陽電池モジュールＭＤの型番を示す。
ｆ４．ＰＣＳ型番
このフィールドは、太陽光発電システム１−ｍにおけるパワーコンディショナ３−ｉ（ｉ＝１〜ＬＰ）の型番を示す。
ｇ４．直列数
このフィールドは、太陽光発電システム１−ｍの太陽電池アレイ２における１つの太陽電池ストリング７−ｉをなす太陽電池モジュールＭＤの数ＬＳを示す。
ｈ４．並列数
このフィールドは、太陽光発電システム１−ｍの太陽電池アレイ２をなす太陽電池ストリング７−ｉ（ｉ＝１〜ＬＰ）の総数ＬＰを示す。
ｉ４．ＩＰアドレス
このフィールドは、太陽光発電システム１−ｍのスマートメータ５のＩＰアドレスを示す。
ｊ４．ＭＡＣアドレス
このフィールドは、太陽光発電システム１−ｍのスマートメータ５のＭＡＣアドレスを示す。
ｋ４．ポート番号
このフィールドは、太陽光発電システム１−ｍのスマートメータ５のポート番号を示す。
ｌ４．モジュール電話番号
このフィールドは、太陽光発電システム１−ｍの３Ｇ通信モジュール６の電話番号を示す。
ｍ４．通信接続方法
このフィールドは、太陽光発電システム１−ｍにおける通信接続方法（具体的には、ＩＰまたは３Ｇのいずれか）を示す。
ｎ４．運用監視開始日時
このフィールドは、事業者Ｚが太陽光発電システム１−ｍの監視サービスを開始した日時（日付と時刻）を示す。
ｏ４．通信監視メータ初期値
このフィールドは、事業者Ｚが太陽光発電システム１−ｍの監視サービスを開始した時点におけるスマートメータ５の電力量の計測値を示す。
ｐ４．異常発電係数
このフィールドは、太陽光発電システム１−ｍの発電状況の異常の有無の判定の指標とする係数である異常発電係数を示す。
ｑ４．連続異常発電時間
このフィールドは、アラートメッセージの通知の条件となる異常状態の継続日数を示す。
ｒ４．データ取得ミス回数
このフィールドは、電力量情報ＤＥＧ、ＤＥＳＴ−ｉ（ｉ＝１〜ＬＰ）の取得状況の異常の有無の判定の指標とするデータ取得ミスの回数を示す。
【００３４】
図７は、テーブルＴＢ５のデータ構造を概念的に示す図である。このテーブルＴＢ５は、太陽光発電システム１−ｍ（ｍ＝１〜Ｍ）の各々の発電量補正値群を記憶するためのものである。このテーブルにおける１組の発電量補正値群をなす１つのレコードは、「発電所ＩＤ」、「年間一括補正値」、「１月補正値」、「２月補正値」、「３月補正値」、「４月補正値」、「５月補正値」、「６月補正値」、「７月補正値」、「８月補正値」、「９月補正値」、「１０月補正値」、「１１月補正値」、「５時−８時補正値」、「８時−１１時補正値」、「１１時−１４時補正値」、「１４時−１７時補正値」、「１７時−２０時補正値」のフィールドを有する。各フィールドの内容は次の通りである。
【００３５】
ａ５．発電所ＩＤ
このフィールドは、太陽光発電システム１−ｍのＩＤを示す。
ｂ５．年間一括補正値
このフィールドは、太陽光発電システム１−ｍにおける１月〜１２月までの任意の期間の想定発電量の算出に共通に適用する発電監視補正値（前掲式（５）におけるβに相当する補正値）を示す。
ｃ５．１月補正値
このフィールドは、太陽光発電システム１−ｍにおける１月の想定発電量の算出に適用する発電監視補正値（前掲式（５）におけるβに相当する補正値）を示す。
ｄ５．２月補正値
このフィールドは、太陽光発電システム１−ｍにおける２月の想定発電量の算出に適用する発電監視補正値（前掲式（５）におけるβに相当する補正値）を示す。
ｅ５．３月補正値
このフィールドは、太陽光発電システム１−ｍにおける３月の想定発電量の算出に適用する発電監視補正値（前掲式（５）におけるβに相当する補正値）を示す。
ｆ５．４月補正値
このフィールドは、太陽光発電システム１−ｍにおける４月の想定発電量の算出に適用する発電監視補正値（前掲式（５）におけるβに相当する補正値）を示す。
ｇ５．５月補正値
このフィールドは、太陽光発電システム１−ｍにおける５月の想定発電量の算出に適用する発電監視補正値（前掲式（５）におけるβに相当する補正値）を示す。
ｈ５．６月補正値
このフィールドは、太陽光発電システム１−ｍにおける６月の想定発電量の算出に適用する発電監視補正値（前掲式（５）におけるβに相当する補正値）を示す。
ｉ５．７月補正値
このフィールドは、太陽光発電システム１−ｍにおける７月の想定発電量の算出に適用する発電監視補正値（前掲式（５）におけるβに相当する補正値）を示す。
ｊ５．８月補正値
このフィールドは、太陽光発電システム１−ｍにおける８月の想定発電量の算出に適用する発電監視補正値（前掲式（５）におけるβに相当する補正値）を示す。
ｋ５．９月補正値
このフィールドは、太陽光発電システム１−ｍにおける９月の想定発電量の算出に適用する発電監視補正値（前掲式（５）におけるβに相当する補正値）を示す。
ｌ５．１０月補正値
このフィールドは、太陽光発電システム１−ｍにおける１０月の想定発電量の算出に適用する発電監視補正値（前掲式（５）におけるβに相当する補正値）を示す。
ｍ５．１１月補正値
このフィールドは、太陽光発電システム１−ｍにおける１１月の想定発電量の算出に適用する発電監視補正値（前掲式（５）におけるβに相当する補正値）を示す。
ｎ５．１２月補正値
このフィールドは、太陽光発電システム１−ｍにおける１２月の想定発電量の算出に適用する発電監視補正値（前掲式（５）におけるβに相当する補正値）を示す。
ｏ５．５時−８時補正値
このフィールドは、太陽光発電システム１−ｍにおける１２月の想定発電量の算出に適用する発電監視補正値（前掲式（５）におけるβに相当する補正値）を示す。
ｐ５．８時−１１時補正値
このフィールドは、太陽光発電システム１−ｍにおける８時から１１時の各時点の想定発電量の算出に適用する発電監視補正値（前掲式（５）におけるβに相当する補正値）を示す。
ｑ５．１１時−１４時補正値
このフィールドは、太陽光発電システム１−ｍにおける１１時から１４時の各時点の想定発電量の算出に適用する発電監視補正値（前掲式（５）におけるβに相当する補正値）を示す。
ｒ５．１４時−１７時補正値
このフィールドは、太陽光発電システム１−ｍにおける１４時から１７時の各時点の想定発電量の算出に適用する発電監視補正値（前掲式（５）におけるβに相当する補正値）を示す。
ｓ５．１７時−２０時補正値
このフィールドは、太陽光発電システム１−ｍにおける１７時から２０時の各時点の想定発電量の算出に適用する発電監視補正値（前掲式（５）におけるβに相当する補正値）を示す。
【００３６】
図８は、テーブルＴＢ６のデータ構造を概念的に示す図である。このテーブルＴＢ６は、太陽光発電システム１−ｍ（ｍ＝１〜Ｍ）の各々の監視履歴情報を記憶するためのものである。このテーブルにおける１つの監視履歴情報をなす１つレコードは、「発電所ＩＤ」と「履歴」のフィールドを有する。「履歴」のフィールドは、「日付」、「実発電量」、「想定発電量」、「日射量」、「気温」、「天気」のサーブフィールドを有する。各フィールドの内容は次の通りである。
ａ６．発電所ＩＤ
このフィールドは、太陽光発電システム１−ｍのＩＤを示す。
ｂ６．日付
このフィールドは、太陽光発電システム１−ｍの稼働日の日付を示す。
ｃ６．実発電量
このフィールドは、ｂ６の日付における１日分の実発電量Ｅｐｄを示す。
する。
ｄ６．想定発電量
このフィールドは、ｂ６の日付における１日分の想定発電量Ｅｐｄ’を示す。
ｅ６．日射量
このフィールドは、ｂ６の日付における１日の日射量を示す。
ｇ６．気温
このフィールドは、ｂ６の日付における１日の平均気温を示す。
ｈ６．天気
このフィールドは、ｂ６の日付における１日の天気を示す。
【００３７】
次に、本実施形態の動作を説明する。図９は、設定処理を示すフローチャートである。本実施形態では、太陽光発電システム１−ｍの持ち主である顧客Ｃ−ｍの担当者は、事業者Ｚに対して太陽光発電システム１−ｍの監視サービスの申し込みを行い、発電所ＩＤ、所有者ＩＤ、発電所サイトＩＤ、サイネージ画面のＵＲＬ等の案内を事業者Ｚから受け取った後、自身の端末から太陽光発電システム１−ｍの第１設定画面及び第２設定画面にログインし、監視サービスの運用開始に必要な各種情報を登録する作業を行う。
【００３８】
図９において、顧客Ｃ−ｍの端末は、第１設定画面の画面データ（ＨＴＭＬデータ）のＵＲＬを宛先とするメッセージを送信する（Ｓ１００１）。太陽光発電監視サーバ装置７０のＣＰＵ７２は、このメッセージを受信すると、第１設定画面の画面データを含むメッセージを送信する（Ｓ１００２）。顧客Ｃ−ｍの端末は、このメッセージを受信すると、第１設定画面を表示する（Ｓ１００３）。
【００３９】
図１０は、第１設定画面を示す図である。第１設定画面は、テーブルＴＢ３に顧客情報して登録する各種情報を入力するためのものである。第１設定画面の上段には、「発電所情報」と記された矩形枠Ａ１が表示されている。この矩形枠Ａ１の下には登録欄Ｂ１〜Ｂ２１がある。登録欄Ｂ１〜Ｂ２１は左欄と右欄に区切られている。登録欄Ｂ１〜Ｂ２１の左欄は、登録項目名（発電所ＩＤ、所有者ＩＤ、発電所ＩＤ、所有者ＩＤ、設備認定番号、発電所名、発電所所有者名、発電所住所、発電所管理者名、発電所担当者名、発電開始年月日、監視メータ数、モジュール総数、総発電出力（ｋＷ）、発電所メールアドレス１、発電所メールアドレス２、発電所電話番号、発電所緊急連絡先、発電所ＦＡＸ番号、契約電力会社、設置総額（円）、売電金額（円・税込）、契約期間（年））を表示する表示欄となっている。登録欄Ｂ１〜Ｂ２１の右欄は登録内容を入力する入力欄となっている。
【００４０】
ここで、登録欄Ｂ１０の右欄には、顧客Ｃ−ｍが監視サービスの申し込み時に事業者Ｚに申告したスマートメータ５の設置数（図１０の例では１）が埋め込まれている。登録欄Ｂ１１の右欄には、顧客Ｃ−ｍが監視サービスの申し込み時に事業者Ｚに申告した太陽電池モジュールＭＤの設置数（図１０の例では２４）が埋め込まれている。登録欄Ｂ１２の右欄には、顧客Ｃ−ｍが監視サービスの申し込み時に事業者Ｚに申告した太陽光発電システム１−ｍの総発電出力（図１０の例では５０４０）が埋め込まれている。
【００４１】
登録欄Ｂ１２の下には、「予想発電量」と記された矩形枠Ａ２が表示されている。この矩形枠Ａ２の右には、表示欄Ａ３がある。表示欄Ａ３内には「年間予想発電量」の文字が埋め込まれている。この表示欄Ａ３の右には矩形枠Ａ４がある。矩形枠Ａ２の下の表示領域には登録欄Ｂ２２〜Ｂ３３がある。登録欄Ｂ２２〜Ｂ３３は左欄と右欄に区切られている。登録欄Ｂ２２〜Ｂ３３の左欄は、登録項目名（１月、２月、３月、４月、５月、６月、７月、８月、９月、１０月、１１月、１２月）を表示する表示欄となっており、左欄は登録内容を入力する入力欄となっている。
【００４２】
登録欄Ｂ２７の下には、「運用監視設定情報」と記された矩形枠Ａ５が表示されている。この矩形枠Ａ５の下の表示領域には登録欄Ｂ３４〜Ｂ４０がある。登録欄Ｂ３４〜Ｂ４０は左欄と右欄に区切られている。登録欄Ｂ３４〜Ｂ４０の左欄は、登録項目名（ウェザーニューズ観測拠点、監視開始時間、監視終了時間、サイト管理ログインコード、サイト管理パスワード、サイネイジデータ取得間隔（分）、発電所サイネイジＵＲＬ）を表示する表示欄となっており、右欄は登録内容を入力する入力欄となっている。
【００４３】
ここで、登録欄Ｂ３５の右欄には、「４時」の文字が埋め込まれており、登録欄Ｂ３６の右欄には「２０時」の文字が埋め込まれている。また、登録欄Ｂ４０の右欄内における入力枠Ａ６の下には、顧客Ｃ−ｍに固有の文字列（図１０の例では、ab2c9dfe618d44fda94a8a20f62d6c3b94）が埋め込まれている。
【００４４】
登録欄Ｂ３８の下には、「監視レポートメール送信・通知先」と記された矩形枠Ａ７が表示されている。矩形枠Ａ７の下の表示領域には登録欄Ｂ４１およびＢ４２がある。登録欄Ｂ４１及びＢ４２は左欄と右欄に区切られている。登録欄Ｂ４１及びＢ４２の左欄は、登録項目名（送信タイミング、通知先メールアドレス）を表示する表示欄となっており、右欄は登録内容を入力する入力欄となっている。登録欄Ｂ４１の右欄の中には４つのチェックボックスＡ８、Ａ９、Ａ１０、Ａ１１がある。チェックボックスＡ８の右には「毎日」の文字が記されている。チェックボックスＡ９の右には「毎週」の文字が記されている。チェックボックスＡ１０の右には「毎月」の文字が記されている。チェックボックスＡ１１の右には「毎年」の文字が記されている。登録欄Ｂ４２の右欄の中には２つのチェックボックスＡ１２及びＡ１３がある。チェックボックスＡ１２の右には「発電所メールアドレス１」の文字が記されている。チェックボックスＡ１３の右には「発電所メールアドレス２」の文字が記されている。
【００４５】
この画面において、顧客Ｃ−ｍの担当者は、各欄に該当の情報を入力し、チェックボックスＡ８〜Ａ１３のうち所望のものにチェックを入れた上で、登録を指示する操作を行う。顧客Ｃ−ｍの担当者の端末は、登録を指示する操作が行われると、その時点における各欄Ｂ１〜Ｂ４２の入力情報を含むメッセージを太陽光発電監視サーバ装置７０に送信する（Ｓ１００４）。
【００４６】
太陽光発電監視サーバ装置７０のＣＰＵ７２は、このメッセージを受信すると、メッセージ内の情報をテーブルＴＢ３における該当のレコードに記憶する（Ｓ１００５）。より詳細に説明すると、このステップＳ１００５では、太陽光発電監視サーバ装置７０のＣＰＵ７２は、テーブルＴＢ３の各レコードの中から登録欄Ｂ１に入力されたＩＤを「発電所ＩＤ」のフィールドの値とするものを検索する。
【００４７】
ＣＰＵ７２は、テーブルＴＢ３から検索したレコードにおける「所有者ＩＤ」のフィールドを登録欄Ｂ２の入力情報とし、「認定番号」のフィールドを登録欄Ｂ３の入力情報とし、「発電所名」のフィールドを登録欄Ｂ４の入力情報とし、「所有者名」のフィールドを登録欄Ｂ５の入力情報とし、「住所」のフィールドを登録欄Ｂ６の入力情報とし、「管理者名」のフィールドを登録欄Ｂ７の入力情報とし、「担当者名」のフィールドを登録欄Ｂ８の入力情報とし、「発電開始年月日」のフィールドを登録欄Ｂ９の入力情報とし、「監視メータ数」のフィールドを登録欄Ｂ１０の右欄に埋め込まれたものと同じ情報とし、「モジュール総数」のフィールドを登録欄Ｂ１１の右欄に埋め込まれたものと同じ情報とし、「総発電出力」のフィールドを登録欄Ｂ１２の右欄に埋め込まれたものと同じ情報とする。
【００４８】
また、ＣＰＵ７２は、テーブルＴＢ３から検索したレコードにおける「メールアドレス１」のフィールドを登録欄Ｂ１３の入力情報とし、「メールアドレス２」のフィールドを登録欄Ｂ１４の入力情報とし、「電話番号」のフィールドを登録欄Ｂ１５の入力情報とし、「緊急連絡先」のフィールドを登録欄Ｂ１６の入力情報とし、「ＦＡＸ番号」のフィールドを登録欄Ｂ１７の入力情報とし、「契約電力会社」のフィールドを登録欄Ｂ１８の入力情報とし、「設置総額」のフィールドを登録欄Ｂ１９の入力情報とし、「売電金額」のフィールドを登録欄Ｂ２０の入力情報とし「契約期間」のフィールドを登録欄Ｂ２１の入力情報とする。
【００４９】
また、ＣＰＵ７２は、テーブルＴＢ３から検索したレコードにおける「予想発電量（１月）」のフィールドを登録欄Ｂ２２の入力情報とし、「予想発電量（２月）」のフィールドを登録欄Ｂ２３の入力情報とし、「予想発電量（３月）」のフィールドを登録欄Ｂ２４の入力情報とし、「予想発電量（４月）」のフィールドを登録欄Ｂ２５の入力情報とし、「予想発電量（５月）」のフィールドを登録欄Ｂ２６の入力情報とし、「予想発電量（６月）」のフィールドを登録欄Ｂ２７の入力情報とし、「予想発電量（７月）」のフィールドを登録欄Ｂ２８の入力情報とし、「予想発電量（８月）」のフィールドを登録欄Ｂ２９の入力情報とし、「予想発電量（９月）」のフィールドを登録欄Ｂ３０の入力情報とし、「予想発電量（１０月）」のフィールドを登録欄Ｂ３１の入力情報とし、「予想発電量（１１月）」のフィールドを登録欄Ｂ３２の入力情報とし、「予想発電量（１２月）」のフィールドを登録欄Ｂ３３の入力情報とする。
【００５０】
また、ＣＰＵ７２は、テーブルＴＢ３から検索したレコードにおける「観測拠点」のフィールドを登録欄Ｂ３４の入力情報とし、「監視開始時間」のフィールドを登録欄Ｂ３５の右欄に埋め込まれたものと同じ情報とし、「監視終了時間」のフィールドを登録欄Ｂ３６の右欄に埋め込まれたものと同じ情報とし、「ログインコード」のフィールドを登録欄Ｂ３７の入力情報とし、「パスワード」のフィールドを登録欄Ｂ３８の入力情報とし、「サイネージデータ取得間隔」のフィールドを登録欄Ｂ３９の入力情報とし、「発電所サイネージＵＲＬ」のフィールドを登録欄Ｂ４０の入力文字の末尾に同欄の下の文字列を繋げたものとし、「送信タイミング」のフィールドをチェックボックスＡ８、Ａ９、Ａ１０、Ａ１１の選択内容に応じた値とし、「通知先メールアドレス」のフィールドをチェックボックスＡ１２、Ａ１３の選択内容に応じた値とする。
【００５１】
図９において、太陽光発電システム１−ｍの持ち主の顧客Ｃ−ｍの端末は、第２設定画面の画面データ（ＨＴＭＬデータ）のＵＲＬを宛先とするメッセージを送信する（Ｓ１００６）。太陽光発電監視サーバ装置７０のＣＰＵ７２は、このメッセージを受信すると、第１設定画面の画面データを含むメッセージを送信する（Ｓ１００７）。顧客Ｃ−ｍの端末は、メッセージを受信すると、第２設定画面を表示する（Ｓ１００８）。
【００５２】
図１１は、第２設定画面を示す図である。第２設定画面は、テーブルＴＢ４に顧客情報として登録する各種情報を入力するためのものである。第１設定画面の上段には、「発電所（サイト）詳細情報」と記された矩形枠Ｃ１が表示されている。この矩形枠Ｃ１の下の表示領域には登録欄Ｄ１〜Ｄ３１がある。登録欄Ｄ１〜Ｄ３１は左欄と右欄に区切られている。登録欄Ｄ１〜Ｄ３１の左欄は、登録項目名（所有者、発電所、発電所サイトＩＤ、発電所サイト名称、モジュールメーカー名、最大出力動作電圧（Ｖ）、出力保証期間（年）、モジュール型番、最大出力動作電流（Ａ）、保証下限値（％）、公称最大出力（Ｗ）、年間減衰率（％）、温度係数（３−５月、９−１１月）、温度計数（６−８月）、温度係数（１２−２月）、モジュール枚数、モジュール出力数（ｋＷ）、ＰＣＳメーカ名、ＰＣＳ定格容量（ｋＷ）、ＰＣＳ変換効率（％）、ＰＣＳ型番、その他の損失係数（％）、直列数、並列数、スマートメーターＩＰアドレス、スマートメーターＭＡＣアドレス、スマートメーターポート番号、通信モジュール電話番号、通信接続方法、運用監視開始日時、運用監視メータ初期値）を表示する表示欄となっている。登録欄Ｄ１〜Ｄ３１の右欄は、登録内容を入力する入力欄となっている。
【００５３】
この画面における発電所サイトＩＤの登録欄Ｄ３の右欄には、各サイネージ画面のサイトＩＤを含むプルダウンメニューが埋め込まれている。また、モジュールメーカー名の登録欄Ｄ５の右欄には、太陽電池モジュールの各販売メーカのメーカ名を含むプルダウンメニューが埋め込まれている。また、モジュール型番の登録欄Ｄ８の右欄には、各種太陽電池モジュールの型番を含むプルダウンメニューが埋め込まれている。また、ＰＣＳメーカー名の登録欄Ｄ１８の右欄には、パワーコンディショナの各販売メーカのメーカ名を含むプルダウンメニューが埋め込まれている。また、ＰＣＳ型番の登録欄Ｄ２１の右欄には、各種パワーコンディショナの型番を含むプルダウメニューが埋め込まれている。
【００５４】
また、この画面における登録欄Ｄ１の右欄には、第１登録画面の登録欄Ｂ５に入力されたものと同じ文字（図１１の例では、世田谷株式会社）が埋め込まれている。また、登録欄Ｄ２の右欄には、第１登録画面の登録欄Ｂ４に登録されたものと同じ文字（図１１の例では、ＳＥＳ世田谷）が埋め込まれている。また、登録欄Ｄ６、Ｄ７、Ｄ９、Ｄ１０、Ｄ１１、Ｄ１２、Ｄ２２の右欄には、登録欄Ｄ８のプルダウンメニューの第１選択項目の型番の太陽電池モジュールの仕様情報（具体的には、テーブルＴＢ１の当該太陽電池モジュールのレコードにおける「最大出力動作電圧」、「出力保証期間」、「最大出力動作電流」、「保証下限値」、「公称最大出力」、「年間減衰率」、「温度係数（３−５月、９−１１月）」、「温度計数（６−８月）」、「温度係数（１２−２月）」、「その他損失係数」の各フィールドの値）が埋め込まれている。
【００５５】
また、この画面における登録欄Ｄ１６の右欄には、第１登録画面の登録欄Ｂ１１内のものと同じ文字（図１１の例では、２４）が埋め込まれている。登録欄Ｄ１７の右欄には、第１登録画面の登録欄Ｂ１２内のものと同じ文字（図１１の例では、５０４０）が埋め込まれている。また、登録欄Ｄ１９及びＤ２０の右欄には、登録欄Ｄ１８のプルダウンメニューの第１選択項目の型番のパワーコンディショナの仕様情報（具体的には、テーブルＴＢ２の当該パワーコンディショナのレコードにおける「ＰＣＳ定格容量（ｋＷ）」、「ＰＣＳ変換効率（％）」のフィールドの各値）が埋め込まれている。登録欄の右欄には左右に並ぶ２つのラジオボタンＣ２及びＣ３があり、各々の右隣には「ＩＰ」及び「３Ｇ」の各文字が記されている。
【００５６】
登録欄Ｄ３０及びＤ３１の下には、「運用監視情報」と記された矩形枠Ｃ４が表示されている。この矩形枠Ｃ４の下の表示領域には登録欄Ｄ３２〜Ｄ５２がある。登録欄Ｄ３２〜Ｄ５２は左欄と右欄に区切られている。登録欄Ｄ３２〜Ｄ５２の左欄は、登録項目名（異常発電係数（％）、連続異常発電時間（日）、データ取得ミス回数（回）、年間一括発電監視補正値（％）、１月発電監視補正値（％）、２月発電監視補正値（％）、３月発電監視補正値（％）、４月発電監視補正値（％）、５月発電監視補正値（％）、６月発電監視補正値（％）、７月発電監視補正値（％）、８月発電監視補正値（％）、９月発電監視補正値（％）、１０月発電監視補正値（％）、１１月発電監視補正値（％）、１２月発電監視補正値（％）、５−８時発電監視補正値（％）、８−１１時発電監視補正値（％）、１１−１４時発電監視補正値（％）、１４−１７時発電監視補正値（％）、１７−２０時発電監視補正値（％））の表示欄となっている。登録欄Ｄ３２〜Ｄ５３の右欄は、登録内容を入力する入力欄となっている。
【００５７】
この画面において、顧客Ｃ−ｍの担当者は、各欄に該当の情報を入力した上で、登録を指示する操作を行う。画面における情報入力の手順は次の通りである。まず、顧客Ｃ−ｍの担当者は、登録欄Ｄ３のプルダウンメニューを展開し、このメニューの選択項目の中から事業者Ｚに案内されているサイトＩＤを選択する。次に、自身で決めたサイネージ画面のサイト名称を登録欄Ｄ４に入力する。また、登録欄Ｄ５のプルダウンメニューを展開し、このメニューの選択項目の中から自身の太陽光発電システム１−ｍの太陽電池モジュールＭＤの販売元メーカを選択する。また、登録欄Ｄ８のプルダウンメニューを展開し、このメニューの選択項目の中から自身の太陽光発電システム１−ｍの太陽電池モジュールＭＤのものと同じ型番を選択する。顧客Ｃ−ｍの端末は、この選択操作により登録欄Ｄ８内の型番が変わった場合、型番の変更に合わせて登録欄Ｄ６、Ｄ７、Ｄ９、Ｄ１０、Ｄ１１、Ｄ１２、Ｄ２２内の情報を変更する。
【００５８】
次に、顧客Ｃ−ｍの担当者は、登録欄Ｄ１８のプルダウンメニューを展開し、このメニューの選択項目の中から自身の太陽光発電システム１−ｍのパワーコンディショナ３−ｉのものと同じ型番を選択する。顧客Ｃ−ｍの端末は、この選択操作により登録欄Ｄ１８内の型番が変わった場合、この型番の変更に合わせて登録欄Ｄ１９、Ｄ２０内の情報を変更する。
【００５９】
次に、顧客Ｃ−ｍの担当者は、太陽光発電システム１−ｍの太陽電池アレイ２における１つの太陽電池ストリング７−ｉをなす太陽電池モジュールＭＤの数ＬＳを登録欄Ｄ２３に入力する。また、太陽光発電システム１−ｍの太陽電池アレイ２における太陽電池ストリング７−ｉの数ＬＰを登録欄Ｄ２４に入力する。また、太陽光発電システム１−ｍのスマートメータ５のＩＰアドレスを登録欄Ｄ２５に入力し、スマートメータ５のＭＡＣアドレスを登録欄Ｄ２６に入力し、スマートメータ５のポート番号を登録欄Ｄ２７に入力する。また、太陽光発電システム１−ｍにおける３Ｇ通信モジュール６の電話番号を登録欄Ｄ２８に入力し、登録欄Ｄ２９における２つのボタンＣ２及びＣ３の一方を選択する。また、太陽光発電システム１−ｍの発電状況の監視開始日時を登録欄Ｄ３０に入力し、この監視開始日時におけるスマートメータ５の計測値を登録欄Ｄ３１に入力する。
【００６０】
次に、顧客Ｃ−ｍの担当者は、自身が決定した異常発電係数を登録欄Ｄ３２に入力する。また、自身が決定した連続異常発電期間を登録欄Ｄ３３に入力する。
【００６１】
また、顧客Ｃ−ｍの担当者は、自身が決定した補正値を登録欄Ｄ３４〜Ｄ５２に入力する。ここで、各登録欄Ｄ３４〜Ｄ５２の補正値は、太陽光発電システム１−ｍの太陽電池アレイ２の設置環境等を考慮して決める。例えば、太陽電池アレイ２が、西日のほとんど入らない位置に設置されている場合、午後から夕方にかけての時間帯は太陽電池アレイ２の発電量が通常よりも低下する。この場合、１４時から１７時の発電量補正値を高めに設定する。
【００６２】
顧客Ｃ−ｍの担当者の端末は、第２登録画面において登録を指示する操作が行われると、その時点における各登録欄Ｄ１〜Ｄ５２の入力文字を含むメッセージを太陽光発電監視サーバ装置７０に送信する（Ｓ１００９）。太陽光発電監視サーバ装置７０のＣＰＵ７２は、このメッセージを受信すると、メッセージ内の情報をテーブルＴＢ４及びＴＢ５における該当のレコードに記憶する（Ｓ１０１０）。より詳細に説明すると、このステップＳ１００７では、太陽光発電監視サーバ装置７０のＣＰＵ７２は、テーブルＴＢ４及びＴＢ５の各レコードの中から登録欄Ｂ１に入力されたＩＤを「発電所ＩＤ」のフィールドの値とするものを検索する。
【００６３】
ＣＰＵ７２は、テーブルＴＢ４から検索したレコードにおける「発電所サイトＩＤ」のフィールドを登録欄Ｄ３の入力情報とし、「発電所サイト名称」のフィールドを登録欄Ｄ４の入力情報とし、「直列数」のフィールドを登録欄Ｄ２３の入力情報とし、「並列数」のフィールドを登録欄Ｄ２４の入力情報とする。
【００６４】
ＣＰＵ７２は、テーブルＴＢ４から検索したレコードにおける「ＩＰアドレス」のフィールドを登録欄Ｄ２５の入力情報とし、「ＭＡＣアドレス」のフィールドを登録欄Ｄ２６の入力情報とし、「ポート番号」のフィールドを登録欄Ｄ２７の入力情報とし、「モジュール電話番号」のフィールドを登録欄Ｄ２８の入力情報とし、「通信接続方法」のフィールドを登録欄Ｄ２９のボタンＣ２及びＣ３のうち選択された方に応じた値とし、「運用監視開始日時」のフィールドを登録欄Ｄ３０の入力情報とし、「通信監視メータ初期値」のフィールドを登録欄Ｄ３１の入力情報とする。
【００６５】
ＣＰＵ７２は、テーブルＴＢ４から検索したレコードにおける「異常発電係数」のフィールドを登録欄Ｄ３２の入力情報とし、「連続異常発電期間」のフィールドを登録欄Ｄ３３の入力情報とし、「データ取得ミス回数」のフィールドを登録欄Ｄ３４の入力文字とする。
【００６６】
ＣＰＵ７２は、テーブルＴＢ５から検索したレコードにおける「年間一括補正値」のフィールドを登録欄Ｄ３５の入力情報とし、「１月補正値」のフィールドを登録欄Ｄ３６の入力情報とし、「２月補正値」のフィールドを登録欄Ｄ３７の入力情報とし、「３月補正値」のフィールドを登録欄Ｄ３８の入力情報とし、「４月補正値」のフィールドを登録欄Ｄ３９の入力情報とし、「５月補正値」のフィールドを登録欄Ｄ４０の入力情報とし、「６月補正値」のフィールドを登録欄Ｄ４１の入力情報とし、「７月補正値」のフィールドを登録欄Ｄ４２の入力情報とし、「８月補正値」のフィールドを登録欄Ｄ４３の入力情報とし、「９月補正値」のフィールドを登録欄Ｄ４４の入力情報とし、「１０月補正値」のフィールドを登録欄Ｄ４５の入力情報とし、「１１月補正値」のフィールドを登録欄Ｄ４６の入力情報とし、「１２月補正値」のフィールドを登録欄Ｄ４７の入力情報とし、「５時−８時補正値」のフィールドを登録欄Ｄ４８の入力情報とし、「８時−１１時補正値」のフィールドを登録欄Ｄ４９の入力情報とし、「１１時−１４時補正値」のフィールドを登録欄Ｄ５０の入力情報とし、「１４時−１７時補正値」のフィールドを登録欄Ｄ５１の入力情報とし、「１７時−２０時補正値」のフィールドを登録欄Ｄ５２の入力情報とする。
【００６７】
図１２は、監視処理を示すフローチャートである。図１２において、太陽光発電監視サーバ装置７０のＣＰＵ７２は、監視時間（４時〜２２時）内における情報取得予定時刻（具体的には、５時、６時…２２時の各時刻）が到来する度に（Ｓ１１０１：Ｙｅｓ）、太陽光発電システム１−ｍから送信される電力量情報ＤＥＧ、ＤＥＳＴ−ｉ（ｉ＝１〜ＬＰ）を取得するとともに、気象情報配信サーバ装置６０から送信される気象情報ＤＭであって太陽光発電システム１−ｍの設置先に最も近い観測拠点ＳＰ−ｎ（より具体的には、テーブルＴＢ３における当該太陽光発電システム１−ｍのレコードの「観測拠点」のフィールドが示す観測拠点）の気象情報ＤＭを取得し、取得した情報ＤＥＧ、ＤＥＳＴ−ｉ（ｉ＝１〜ＬＰ）、ＤＭをＲＡＭ７３に記憶する（Ｓ１１０２）。
【００６８】
太陽光発電監視サーバ装置７０のＣＰＵ７２は、太陽光発電システム１−ｍにおける最新の１時間分の実発電量Ｅｐｈと想定発電量Ｅｐｈ’、及び太陽光発電システム１−ｍにおける太陽電池ストリング７−ｉ（ｉ＝１〜ＬＰ）の最新の１時間分の実発電量ＥＳＴｐｈ−ｉ（ｉ＝１〜ＬＰ）を求める処理を行う（Ｓ１１０３）。
【００６９】
より詳細に説明すると、このステップＳ１１０３では、太陽光発電監視サーバ装置７０のＣＰＵ７２は、ステップＳ１１０２で取得した電力量情報ＤＥＧが示す電力量を実発電量Ｅｐｈとする。また、ステップＳ１１０２で取得した気象情報ＤＭから情報ＤＭＳ及びＤＭＴを取り出し、情報ＤＭＳが示す日射量と情報ＤＭＴが示す気温を前掲式（５）に代入して得られる電力量Ｅを想定発電量Ｅｐｈ’とする。また、ステップＳ１１０２で取得した電力量情報ＤＥＳＴ−ｉ（ｉ＝１〜ＬＰ）の各々が示す電力量を太陽光発電システム１−ｍの各太陽電池ストリング７−ｉの実発電量ＥＳＴｐｈ−ｉとする。
【００７０】
ここで、このステップＳ１１０２では、係数Ｋｍｄ、ηＩＮＤ、αＰｍａｘ、βとして太陽光発電システム１−ｍの設置環境に応じた個別の値を適用する。例えば、ある太陽光発電システム１−１００における１０月６日１３時の時点の想定発電量Ｅｐｈ’を算出する場合、ＣＰＵ７２は、テーブルＴＢ３の各レコードの中から太陽光発電システム１−１００のＩＤを「発電所ＩＤ」のフィールドの値とするものを検索し、検索したレコードの「総発電出力」のフィールドの出力値を読み出す。また、ＣＰＵ７２は、テーブルＴＢ４の各レコードの中から太陽光発電システム１−１００のＩＤを「発電所ＩＤ」のフィールドの値とするものを検索し、検索したフィールドの「ＰＣＳ型番」のフィールドの型番を読み出す。次に、ＣＰＵ７２は、テーブルＴＢ２の各レコードの中からこのＰＣＳ型番を「型番」のフィールドの値とするものを検索し、検索したレコードの「変換効率」のフィールドの係数を読み出す。そして、「変換効率」のフィールドの係数を前掲式（５）における係数ηＩＮＤとし、「総発電出力」のフィールドの出力値を前掲式（５）における定格出力ＨＡＭとする。
【００７１】
また、ＣＰＵ７２は、テーブルＴＢ４の各レコードの中から太陽光発電システム１−１００のＩＤを「発電所ＩＤ」のフィールドの値とするものを検索し、検索したレコードの「モジュール型番」のフィールドの型番を読み出す。そして、テーブルＴＢ１の各レコードの中からこのモジュール型番を「型番」のフィールドの値とするものを検索し、検索したレコードの「温度係数（５−８月）」のフィールドの係数と「その他損失係数」のフィールドの係数を読みだす。そして、「温度係数（５−８月）」のフィールドの係数を前掲式（５）における係数αＰｍａｘとし、「その他損失係数」のフィールドの係数を前掲式（５）における係数Ｋｍｄとする。
【００７２】
また、ＣＰＵ７２は、テーブルＴＢ５の各レコードの中から太陽光発電システム１−１００のＩＤを「発電所ＩＤ」のフィールドの値とするものを検索し、検索したレコードの「年間一括補正値」のフィールドの補正値、「６月補正値」のフィールドの補正値、「１１時−１４時補正値」のフィールドの補正値を読み出し、これら３つの補正値の積を前掲式（５）における補正値βとする。
【００７３】
太陽光発電監視サーバ装置７０のＣＰＵ７２は、１日の監視時間内の全予定時刻（５時、６時…２２時）の実発電量Ｅｐｈと想定発電量Ｅｐｈ’を求めた後（ステップＳ１１０４：Ｙｅｓ）、履歴記憶処理を行う（Ｓ１１０５）。履歴記憶処理は、太陽光発電システム１−ｍの最新の監視履歴情報をテーブルＴＢ６に記憶する処理である。
【００７４】
履歴記憶処理では、５時〜２２時の各時点の実発電量Ｅｐｈの合計を本日の１日分の実発電量Ｅｐｄとする。また、５時〜２２時の各時点の想定発電量Ｅｐｈ’の合計を本日の１日分の想定発電量Ｅｐｄ’とする。また、５時〜２２時の各時点の日射量の合計を本日の１日分の日射量とする。また、５時〜２２時の各時点の気温の平均を本日の気温とする。また、本日の１２時の時点の天気を本日の天気とする。そして、当該太陽光発電システム１−ｍのＩＤを「発電所ＩＤ」のフィールドの値とし、本日の１日分の実発電量Ｅｐｄを「実発電量」のフィールドの値とし、本日の１日分の想定発電量Ｅｐｄ’を「想定発電量」のフィールドの値とし、本日の１日分の日射量を「日射量」のフィールドの値とし、本日の気温を「気温」のフィールドの値とし、本日の天気を「天気」のフィールドの値とするレコードをテーブルＴＢ６に追加する。
【００７５】
次に、太陽光発電監視サーバ装置７０のＣＰＵ７２は、判定処理を行う（Ｓ１１０６）。この判定処理は、該当の太陽光発電システム１−ｍの発電状況の異常の有無を判定する処理である。判定処理の詳細は次の通りである。
【００７６】
図１３に示すように、太陽光発電監視サーバ装置７０のＣＰＵ７２は、ステップＳ１１０５にて求めた本日の１日分の実発電量Ｅｐｄと本日の１日分の想定発電量Ｅｐｄ’の比Ｅｐｄ／Ｅｐｄ’を計算する。次に、太陽光発電サーバ装置のＣＰＵ７２は、太陽電池ストリング７−ｉ毎の５時〜１１時の各時点の実発電量ＥＳＴｐｈ−ｉの合計を太陽電池ストリング７−ｉの１日分の実発電量ＥＳＴｐｄ−ｉとし、実発電量ＥＳＴｐｄ−ｉ（ｉ＝１〜ＬＰ）の相互の比（図１３の例では、ストリング７−１の実発電量ＥＳＴｐｄ−１とストリング７−２の実発電量ＥＳＴｐｄ−２の比ＥＳＴｐｄ−１／ＥＳＴｐｄ−２、ストリング７−１の実発電量ＥＳＴｐｄ−１とストリング７−３の実発電量ＥＳＴｐｄ−３の比ＥＳＴｐｄ−１／ＥＳＴｐｄ−３、ストリング７−２の実発電量ＥＳＴｐｄ−２とストリング７−１の実発電量ＥＳＴｐｄ−１の比ＥＳＴｐｄ−２／ＥＳＴｐｄ−１、ストリング７−３の実発電量ＥＳＴｐｄ−３とストリング７−１の実発電量ＥＳＴｐｄ−１の比ＥＳＴｐｄ−３／ＥＳＴｐｄ−１、およびストリング７−３の実発電量ＥＳＴｐｄ−３とストリング７−２の実発電量ＥＳＴｐｄ−２の比ＥＳＴｐｄ−３／ＥＳＴｐｄ−２）を求める。
【００７７】
次に、太陽光発電監視サーバ装置７０のＣＰＵ７２は、テーブルＴＢ６における当該太陽光発電システム１−ｍのレコード（当該太陽光発電システム１−ｍのＩＤを「発電所ＩＤ」のフィールドの値とするレコード）の中から本日の日付との時間差が所定の範囲内（例えば、３日以内）にある日付を「日付」のフィールドとするものを検索し、検索したレコードの「実発電量」のフィールドの１日分の実発電量Ｅｐｄと本日の１日分の実発電量Ｅｐｄとの比Ｅｐｄ／Ｅｐｄ（履歴）を求める。
【００７８】
太陽光発電サーバ装置のＣＰＵ７２は、以上のようにして求めた比の各々と当該太陽光発電システム１−ｍの異常発電係数の大小を比較する。太陽光発電監視サーバ装置７０のＣＰＵ７２は、該当の太陽光発電システム１−ｍの連続異常発電時間として設定された日数に亘って比が異常発電係数を下回っている場合、太陽光発電システム１−ｍの発電状態に異常があるとみなす。
【００７９】
太陽光発電監視サーバ装置７０のＣＰＵ７２は、ステップＳ１１０６において太陽光発電システム１−ｍの発電状態に異常があると判定した場合（Ｓ１１０７：Ｙｅｓ）、太陽光発電システム１−ｍの管理者の電子メールアドレスに宛ててアラートメッセージを送信する（Ｓ１１０８）。
【００８０】
図１４は、発電状況レポート配信処理を示すフローチャートである。図１４において、太陽光発電監視サーバ装置７０のＣＰＵ７２は、日単位の発電状況レポート情報ＤＲｐｄの配信予定時刻（例えば、毎日の０時とする）が到来すると（Ｓ１２０１：Ｙｅｓ）、顧客Ｃ−ｍのうち第１設定画面の登録欄４１においてチェックボックスＡ８のチェックにより毎日の送信が指示されているものを発電状況レポート情報ＤＲｐｄの通知先とし、通知先毎の個別の発電状況レポート情報ＤＲｐｄを添付した電子メールメッセージを各々の電子メールアドレスに宛てて送信する（Ｓ１２０２）。
【００８１】
図１５は、日単位の発電状況レポート情報ＤＲｐｄの内容の一例を示す図である。このステップＳ１２０２では、日単位の発電状況レポート情報ＤＲｐｄのテンプレートにおける各表示欄Ｅ１〜Ｅ１６に通知先毎の個別の情報を埋め込んだものを通知先毎の個別の発電状況レポート情報ＤＲｐｄとする。
【００８２】
より具体的に説明すると、太陽光発電監視サーバ装置７０のＣＰＵ７２は、テーブルＴＢ３の各レコードの中から通知先の顧客Ｃ−ｍの太陽光発電システム１−ｍのＩＤを「発電所ＩＤ」の値とするものを検索し、検索したレコードの「発電所ＩＤ」、「発電所名」、「住所」、「総発電出力」のフィールドの情報をＲＡＭ７３に読みだし、テンプレートの表示欄Ｅ１、Ｅ２、Ｅ３、Ｅ４にこれらの情報を埋め込む。また、表示欄Ｅ５に本日の日付を埋め込み、表示欄Ｅ６に本日の１日分の実発電量Ｅｐｄを埋め込み、表示欄Ｅ７に本日の１日分の売電金額（１日分の実発電量Ｅｐｄと売電価格の積）を埋め込み、表示欄Ｅ８に今月の実発電量Ｅｐｍを埋め込み、表示欄Ｅ９に今月の売電金額を埋め込み、表示欄Ｅ１０に「異常稼働」及び「正常稼働」のうち該当の文字を埋め込む。また、表示欄Ｅ１１に本日の各時点の実発電量Ｅｐｈに応じた高さのグラフＧｐｈ及び各時点の想定発電量Ｅｐｈ’に応じたグラフＧｐｈ’を埋め込み、表示欄Ｅ１２に本日の各時点の実発電量Ｅｐｄを埋め込み、表示欄Ｅ１３に本日の各時点の想定発電量Ｅｐｈ’を埋め込み、表示欄Ｅ１４に本日の各時点の日射量を埋め込み、表示欄Ｅ１５に本日の各時点の気温を埋め込み、表示欄Ｅ１６に本日の各時点の天気を埋め込む。
【００８３】
また、太陽光発電監視サーバ装置７０のＣＰＵ７２は、週単位の発電状況レポート情報ＤＲｐｗの配信予定時刻（例えば、毎週月曜日の０時とする）が到来すると（Ｓ１２０３：Ｙｅｓ）、顧客Ｃ−ｍのうち第１設定画面の登録欄Ｂ４１においてチェックボックスＡ９のチェックにより毎週の送信が指示されているものを発電状況レポート情報ＤＲｐｗの通知先とし、通知先毎の個別の発電状況レポート情報ＤＲｐｗを添付した電子メールメッセージを各々の電子メールアドレスに宛てて送信する（Ｓ１２０４）。
【００８４】
図１６は、週単位の発電状況レポート情報ＤＲｐｗの内容の一例を示す図である。このステップＳ１２０４では、週単位の発電状況レポート情報ＤＲｐｗのテンプレートにおける各表示欄Ｆ１〜Ｆ１６に通知先毎の個別の情報を埋め込んだものを通知先毎の個別の発電状況レポート情報ＤＲｐｗとする。
【００８５】
より具体的に説明すると、太陽光発電監視サーバ装置７０のＣＰＵ７２は、テーブルＴＢ３の各レコードの中から通知先の顧客Ｃ−ｍの太陽光発電システム１−ｍのＩＤを「発電所ＩＤ」のフィールドの値とするものを検索し、検索したレコードの「発電所ＩＤ」、「発電所名」、「住所」、「総発電出力」のフィールドの情報をＲＡＭ７３に読み出す。また、テーブルＴＢ６のレコードの中から通知先の顧客Ｃ−ｍの太陽光発電システム１−ｍのＩＤを「発電所ＩＤ」のフィールドの値とし且つ先週の月曜日〜日曜日の日付を「日付」のフィールドの値とするものを検索し、検索したレコードの「実発電量」、「想定発電量」、「日射量」、「気温」、「天気」の情報をＲＡＭ７３に読み出す。
【００８６】
その上で、テンプレートの表示欄Ｆ１〜Ｆ４にテーブルＴＢ３のレコードから読み出した各情報を埋め込み、表示欄Ｆ５に先週１週間の日付を埋め込み、表示欄Ｆ６に先週１週間の実発電量Ｅｐｗを埋め込み、表示欄Ｆ７に先週１週間の売電金額（先週１週間の実発電量Ｅｐｗと売電価格の積）を埋め込み、表示欄Ｆ８に今月の実発電量Ｅｐｍを埋め込み、表示欄Ｆ９に今月の売電金額を埋め込み、表示欄Ｆ１０に「異常稼働」及び「正常稼働」のうち該当の文字を埋め込む。また、表示欄Ｆ１１に月曜〜日曜の各日付の実発電量Ｅｐｄを埋め込み、表示欄Ｆ１２に月曜〜日曜の各日付の想定発電量Ｅｐｄ’を埋め込み、表示欄Ｆ１３に月曜〜日曜の各日付の日射量を埋め込み、表示欄Ｆ１４に月曜〜日曜の各日付の気温を埋め込み、表示欄Ｆ１５に月曜〜日曜の各日付の天気を埋め込む。また、表示欄Ｆ１６に月曜〜金曜の各日付の実発電量Ｅｐｄに応じた高さのグラフＧｐｄおよび月曜〜金曜の各日付の想定発電量Ｅｐｄ’に応じた高さのグラフＧｐｄ’を埋め込む。
【００８７】
また、太陽光発電監視サーバ装置７０のＣＰＵ７２は、月単位の発電状況レポート情報ＤＲｐｍの配信予定時刻（例えば、毎月１日の０時とする）が到来すると（Ｓ１２０５：Ｙｅｓ）、顧客Ｃ−ｍのうち第１設定画面の登録欄Ｂ４１においてチェックボックスＡ１０のチェックにより毎月の送信が指示されているものを発電状況レポート情報ＤＲｐｍの通知先とし、通知先毎の個別の発電状況レポート情報ＤＲｐｍを添付した電子メールメッセージを各々の電子メールアドレスに宛てて送信する（Ｓ１２０６）。
【００８８】
図１７は、月単位の発電状況レポート情報ＤＲｐｍの内容の一例を示す図である。このステップＳ１２０６では、月単位の発電状況レポート情報ＤＲｐｍのテンプレートにおける各表示欄Ｈ１〜Ｈ２９に通知先毎の個別の情報を埋め込んだものを通知先毎の個別の発電状況レポート情報ＤＲｐｍとする。
【００８９】
より具体的に説明すると、太陽光発電監視サーバ装置７０のＣＰＵ７２は、テーブルＴＢ３の各レコードの中から通知先の顧客Ｃ−ｍの太陽光発電システム１−ｍのＩＤを「発電所ＩＤ」のフィールドの値とするものを検索し、検索したレコードの「発電所ＩＤ」、「発電所名」、「住所」、「総発電出力」のフィールドの情報をＲＡＭ７３に読み出す。また、テーブルＴＢ６のレコードの中から通知先の顧客Ｃ−ｍの太陽光発電システム１−ｍのＩＤを「発電所ＩＤ」のフィールドの値とし且つ先月の日付を「日付」のフィールドの値とするものを検索し、検索したレコードの「実発電量」、「想定発電量」、「日射量」、「気温」、「天気」の情報をＲＡＭ７３に読み出す。また、気象情報配信サーバ装置６０のデータベースＤＢにアクセスして当該太陽光発電システム１−ｍの設置先における先月と同じ月の総日射量の統計情報及び平均気温の統計情報を取得し、この統計情報が示す日射量及び気温をＪＩＳ  Ｃ  ８９０７の発電量算出式（前掲式（１）〜（４））に作用させて得られる発電量を初期シミュレーション発電量Ｅ”とする。
【００９０】
その上で、テンプレートの表示欄Ｈ１〜Ｈ４にテーブルＴＢ３のレコードから読み出した各情報を埋め込み、表示欄Ｈ５に先月の年及び月を埋め込み、表示欄Ｈ６に先月１か月間の実発電量Ｅｐｍを埋め込み、表示欄Ｈ７に先月１か月間の売電金額（先月１か月間の実発電量Ｅｐｍと売電価格の積）を埋め込み、表示欄Ｈ８に今年の実発電量Ｅｐｙを埋め込み、表示欄Ｈ９に今年の売電金額を埋め込み、表示欄Ｈ１０に監視当初からの累計実発電量Ｅｐｇを埋め込み、表示欄Ｈ１１に監視当初からの売電金額を埋め込み、表示欄Ｈ１２に「異常稼働」及び「正常稼働」のうち該当の文字を埋め込む。また、表示欄１３に日射量の統計情報を埋め込み、表示欄Ｈ１４に初期シミュレーション発電量Ｅ”を埋め込み、表示欄Ｈ１５に先月１か月の日射量を埋め込み、表示欄Ｈ１６に先月１か月の実発電量Ｅｐｍを埋め込み、表示欄Ｈ１７に表示欄Ｈ１３内の数を表示欄Ｈ１５内の数で除算した値を埋め込み、表示欄Ｈ１８内に表示欄Ｈ１４内の数を表示欄Ｈ１６内の数で除算した値を埋め込む。
【００９１】
また、表示欄Ｈ１９に先月前半の各日付の実発電量Ｅｐｄを埋め込み、表示欄Ｈ２０に先月前半の各日付の想定発電量Ｅｐｄ’を埋め込み、表示欄Ｈ２１に先月前半の各日付の日射量を埋め込み、表示欄Ｈ２２に先月前半の各日付の気温を埋め込み、表示欄Ｈ２３に先月前半の各日付の天気を埋め込む。また、表示欄Ｈ２４に先月後半の各日付の実発電量Ｅｐｄを埋め込み、表示欄Ｈ２５に先月後半の各日付の想定発電量Ｅｐｄ’を埋め込み、表示欄Ｈ２６に先月後半の各日付の日射量を埋め込み、表示欄Ｈ２７に先月後半の各日付の気温を埋め込み、表示欄Ｈ２８に先月後半の各日付の天気を埋め込む。また、表示欄Ｈ２９に先月の各日付の実発電量Ｅｐｄに応じた高さのグラフＧｐｄおよび先月の各日付の想定発電量Ｅｐｄ’に応じた高さのグラフＧｐｄ’を埋め込む。
【００９２】
また、太陽光発電監視サーバ装置７０のＣＰＵ７２は、年単位の発電状況レポート情報ＤＲｐｙの配信予定時刻（例えば、毎年１月１日の０時とする）が到来すると（Ｓ１２０７：Ｙｅｓ）、顧客Ｃ−ｍのうち第１設定画面の登録欄Ｂ４１においてチェックボックスＡ１１のチェックにより毎年の送信が指示されているものを発電状況レポート情報ＤＲｐｙの通知先とし、通知先毎の個別の発電状況レポート情報ＤＲｐｙを添付した電子メールメッセージを各々の電子メールアドレスに宛てて送信する（Ｓ１２０８）。
【００９３】
図１８は、年単位の発電状況レポート情報ＤＲｐｙの内容の一例を示す図である。このステップＳ１２０８では、年単位の発電状況レポート情報ＤＲｐｙのテンプレートにおける各表示欄Ｊ１〜Ｊ２１に通知先毎の個別の情報を埋め込んだものを通知先毎の個別の発電状況レポート情報ＤＲｐｙとする。
【００９４】
より具体的に説明すると、太陽光発電監視サーバ装置７０のＣＰＵ７２は、テーブルＴＢ３の各レコードの中から通知先の顧客Ｃ−ｍの太陽光発電システム１−ｍのＩＤを「発電所ＩＤ」のフィールドの値とするものを検索し、検索したレコードの「発電所ＩＤ」、「発電所名」、「住所」、「総発電出力」、「発電開始年月日」のフィールドの情報をＲＡＭ７３に読み出す。また、テーブルＴＢ６のレコードの中から通知先の顧客Ｃ−ｍの太陽光発電システム１−ｍのＩＤを「発電所ＩＤ」のフィールドの値とし且つ昨年の日付を「日付」のフィールドの値とするものを検索し、検索したレコードの「実発電量」、「想定発電量」、「日射量」、「気温」、「天気」の各フィールドの値をＲＡＭ７３に読み出す。また、気象情報配信サーバ装置６０のデータベースＤＢにアクセスして当該太陽光発電システム１−ｍの設置先における１月〜１２月の各月の日射量の統計情報及び気温の統計情報を取得し、この統計情報が示す日射量及び気温をＪＩＳ  Ｃ  ８９０７の発電量算出式（前掲式（１）〜（４））に作用させて得られる発電量を１月〜１２月の各月の初期シミュレーション発電量Ｅｐｍ”とする。
【００９５】
その上で、テンプレートの表示欄Ｊ１〜Ｊ５にテーブルＴＢ３のレコードから読み出した各情報を埋め込み、表示欄Ｊ６に昨年を埋め込み、表示欄Ｊ７に昨年１年間の実発電量Ｅｐｙを埋め込み、表示欄Ｊ８に昨年１年間の売電金額（昨年１年間の実発電量Ｅｐｙと売電価格の積）を埋め込み、表示欄Ｊ９に監視当初からの累計実発電量Ｅｐｇを埋め込み、表示欄Ｊ１０に監視当初からの売電金額を埋め込み、表示欄Ｊ１１に「異常稼働」及び「正常稼働」のうち該当の文字を埋め込む。
【００９６】
また、表示欄Ｊ１２に、昨年の１月から１２月の各月の実発電量Ｅｐｍに応じた高さのグラフＧｐｍ、昨年の１月から１２月の各月の想定発電量Ｅｐｍ’に応じた高さのグラフＧｐｍ’、及び昨年の１月から１２月の各月の初期シミュレーション発電量Ｅｐｍ”に応じた高さのグラフＧｐｍ”を埋め込む。
【００９７】
また、表示欄Ｊ１３に、昨年の１月から１２月の各月の実発電量Ｅｐｍを埋め込み、表示欄Ｊ１４に、昨年の１月から１２月の各月の想定発電量Ｅｐｍ’を埋め込み、表示欄Ｊ１５に、昨年の１月から１２月の各月の初期シミュレーション発電量Ｅｐｍ”を埋め込み、表示欄Ｊ１６に、昨年の１月から１２月の各月の日射量を埋め込む。
【００９８】
また、表示欄Ｊ１７に、監視開始時からの各経過年の実発電量Ｅｐｙに応じた高さのグラフＧｐｙ、監視開始時からの各経過年の想定発電量Ｅｐｙ’に応じた高さのグラフＧｐｙ’、及び監視開始時からの各経過年の初期シミュレーション発電量Ｅｐｙ”に応じた高さのグラフＧｐｙ”を埋め込む。
【００９９】
また、表示欄Ｊ１８に、監視開始時からの各経過年の実発電量Ｅｐｙを埋め込み、表示欄Ｊ１９に、監視開始時からの各経過年の想定発電量Ｅｐｙ’を埋め込み、表示欄Ｊ２０に、監視開始時からの各経過年の初期シミュレーション発電量Ｅｐｙ”を埋め込み、表示欄Ｊ２１に、監視開始時からの各経過年の日射量を埋め込む。
【０１００】
図１９は、サイネージ画面提供処理を示すフローチャートである。図１９において、太陽光発電システム１−ｍの持ち主の顧客Ｃ−ｍの端末は、サイネージ画面のＵＲＬを宛先とするメッセージを送信する（Ｓ１３０１）。太陽光発電監視サーバ装置７０のＣＰＵ７２は、太陽光発電システム１−ｍの発電状況を示す２種類のサイネージ画面の画面データを第１設定画面（図１０）においてサイネージデータ取得間隔として設定された時間をあけて交互に送信する処理を繰り返す（Ｓ１３０２）。図２０及び図２１は、２種類のサイネージ画面を示す図である。
【０１０１】
以上が、本実施形態の構成の詳細である。本実施形態によると、次の効果が得られる。
第１に、本実施形態では、太陽光発電システム１−ｍから送信される電力量情報ＤＥＧが示す発電量を太陽光発電システム１−ｍの最新の１時間の実発電量Ｅｐｈとし、気象情報配信サーバ装置６０から送信される気象情報ＤＭ内の気温ＴＣＲと日射量Ｇｓを前掲式（５）に作用させることにより得られる電力量Ｅを太陽光発電システム１−ｍの最新の１時間の想定発電量Ｅｐｈ’とする。そして、これらの発電量を基に太陽光発電システム１−ｍの発電状況の異常の有無を判定し、発電状況に異常が発生していると判定した場合に、予め設定された電子メールアドレスに宛ててアラートメッセージを送信する。よって、本実施形態によると、太陽光発電システム１−ｍが当初の計画通りの発電を行っているか否を監視する仕組みを安価に提供することができる。
【０１０２】
第２に、本実施形態では、判定処理において、本日の一日分の実発電量Ｅｐｄと想定発電量Ｅｐｄ’の比と異常発電係数との関係（具体的には、当該比が異常発電係数を下回っているか否か）、太陽電池ストリング７−ｉ（ｉ＝１〜ＬＰ）の実発電量ＥＳＴｐｄ−ｉ（ｉ＝１〜ＬＰ）の相互の比と異常発電係数との関係（具体的には、当該比が異常発電係数を下回っているか否か）、本日の一日分の実発電量Ｅｐｄととこの実発電量Ｅｐｄの取得日（本日）との時間差が所定の範囲内にある過去の日付の実発電量Ｅｐｄ（テーブルＴＢ６における該当のレコードの「実発電量」のフィールドの情報）との比と異常発電係数との関係（具体的には、当該比が異常発電係数を下回っているか否か）の３種類の関係に基づいて太陽光発電システムの発電状況の異常の有無を判定する。よって、実発電量と想定発電量の比と異常発電係数との関係だけに基づいた判定を行う場合よりも、信頼性の高い判定結果を得ることができる。
【０１０３】
第３に、本実施形態では、ＪＩＳ  Ｃ  ８９０７の算出式そのものでなく、この算出式の算出結果を補正値βにより補正するようにした算出式（５）によって、想定発電量Ｅｐｈ’を算出するようになっており、この補正値βを監視対象の太陽光発電システム１−ｍ毎に個別に設定できるようなっている。よって、太陽光発電システム１−ｍの設置環境を加味した異常の判定を行うことができる。
【０１０４】
以上、本発明の一実施形態について説明したが、かかる実施形態に以下の変形を加えてもよい。
（１）上記実施形態では、実発電量Ｅｐｄと想定発電量Ｅｐｄ’の比、太陽電池ストリング７−ｉ（ｉ＝１〜ＬＰ）の実発電量ＥＳＴｐｄ−ｉ（ｉ＝１〜ＬＰ）の相互の比、及び本日の実発電量Ｅｐｄと過去の日付が近い日の実発電量Ｅｐｄ（履歴）との比と異常発電係数との関係に基づいて発電状況の異常の有無を判定した。しかし、実発電量Ｅｐｄと想定発電量Ｅｐｄ’の差、太陽電池ストリング７−ｉ（ｉ＝１〜ＬＰ）の実発電量ＥＳＴｐｄ−ｉ（ｉ＝１〜ＬＰ）の相互の差、及び本日の実発電量Ｅｐｄと過去の日付が近い日の実発電量Ｅｐｄ（履歴）との差と異常発電係数との関係に基づいて発電状況の異常の有無を判定してもよい。
【０１０５】
（２）上記実施形態では、サイネージ画面提供処理におけるサイネージ画面の種類は２種類であった。しかし、サイネージ画面の種類を１種類にしてもよいし、３種類以上にしてもよい。
【符号の説明】
【０１０６】
１…太陽光発電システム、２…太陽電池アレイ、３…パワーコンディショナ、４…集電盤、５…スマートメータ、６…３Ｇ通信モジュール、７…太陽電池ストリング、６０…気象情報配信サーバ装置、７０…太陽光発電監視サーバ装置、７１…通信インターフェース、７２…ＣＰＵ、７３…ＲＡＭ、７４…ＲＯＭ、７５…ハードディスク、７６…ディスプレイ、７７…マウス、７８…キーボード。
【図２０】
0005636621.tif 000002
【図２１】
0005636621.tif 000003
【図１】
0005636621.tif 000004
【図２】
0005636621.tif 000005
【図３】
0005636621.tif 000006
【図４】
0005636621.tif 000007
【図５】
0005636621.tif 000008
【図６】
0005636621.tif 000009
【図７】
0005636621.tif 000010
【図８】
0005636621.tif 000011
【図９】
0005636621.tif 000012
【図１０】
0005636621.tif 000013
【図１１】
0005636621.tif 000014
【図１２】
0005636621.tif 000015
【図１３】
0005636621.tif 000016
【図１４】
0005636621.tif 000017
【図１５】
0005636621.tif 000018
【図１６】
0005636621.tif 000019
【図１７】
0005636621.tif 000020
【図１８】
0005636621.tif 000021
【図１９】
0005636621.tif 000022